(57)【要約】【課題】記録／再生機器から多量に発生されるプラスイオンを打ち消し、快適な環境が提供されると共に、記録／再生機器からの電磁波が低減される光情報記録媒体を提供する。【解決手段】透明基板１上に、少なくとも記録層２、反射層３、接着層４、カバー基板５を順次積層した光情報記録媒体であって、情報記録／読み取り面側とは反対のカバー基板５上および、または情報記録／読み取り面側の最表面にマイナスイオン発生機能を有する物質の層６、６Ａを設ける。【選択図】図１
2008059648.tif 000002
【特許請求の範囲】
【請求項１】
透明基板上に、少なくとも記録層、反射層、接着層、カバー基板を順次積層した光情報記録媒体であって、
情報記録／読み取り面側とは反対のカバー基板上および／または情報記録／読み取り面側の最表面にマイナスイオン発生機能を有する物質の層を設けてなることを特徴とする光情報記録媒体。
【請求項２】
前記マイナスイオン発生機能を有する物質の層が、トルマリンを含有する層であることを特徴とする請求項１に記載の光情報記録媒体。
【請求項３】
前記マイナスイオン発生機能を有する物質の層に着色材料が含有されていることを特徴とする請求項１に記載の光情報記録媒体。
【請求項４】
反射層に対して情報記録／読み取り面とは反対の面側の、マイナスイオン発生機能を有する物質の層表面あるいは該層のカバー基板側に、文字デザインを印刷した層を設けてなることを特徴とする請求項１〜３のいずれかに記載の光情報記録媒体。
【請求項５】
マイナスイオン発生機能を有する物質の層を２層以上設けてなることを特徴とする請求項１〜４のいずれかに記載の光情報記録媒体。
【請求項６】
透明基板上に、少なくとも記録層、反射層、接着層、カバー基板を順次積層した光情報記録媒体であって、
情報記録／読み取り面側とは反対のカバー基板上若しくは、情報記録／読み取り面側の最表面にマイナスイオン発生機能を有する物質の層が設けられ、
光情報記録媒体の記録／再生機で使用した時に、マイナスイオン効果が得られることを特徴とする光情報記録媒体。
【発明の詳細な説明】
【技術分野】
【０００１】
本発明は、光情報記録媒体に関し、さらに詳しくは光記録媒体の記録／再生機で使用した際に、マイナスイオン効果が得られる光情報記録媒体に関する。
【背景技術】
【０００２】
地球環境は常にプラスとマイナスのつり合いがとれている（中性の状態）とは限らず、地球内外のエネルギーや大気の状態によって中性を保てずプラスイオンの多い状態に変化するときがある。またＯＡ機器に囲まれたオフィスやタバコの煙が立ちこめる場所や、大気の汚染された場所などもプラスイオンが増加しマイナスが不足している状態になっている。
従来、光情報記録媒体はその情報を記録／再生する機器（ＰＣドライブ、ビデオレコーダー）で記録／再生し、使用するが、その記録／再生機器からは、プラスイオンが多量に発生している。
光情報記録媒体の記録／再生機器は、プラスイオンの発生源となる様々な電子機器が使用され、その対策は全て情報記録／再生機器自体に組み込まれ、開発、設計されている。このように様々な電子機器に囲まれた職場環境や生活環境において、身体の慢性疲労やストレスを受ける人の増加が深刻な問題となっている。したがって、使用時に健康増進に積極的に作用する環境を提供することが強く求められているが、これまではこの効果を充分に発揮させたものはなかった。
一方、近年電気石（トルマリン）などのマイナスイオン発生機能を有する物質を用いた種々の応用がなされ、マイナスイオンの放出性に優れた塗料組成物や植木鉢などが開発されている（特許文献１、２参照）。
【０００３】
【特許文献１】特開２００６−７０１１０号公報
【特許文献２】特開２００６−１６６８９２号公報
【発明の開示】
【発明が解決しようとする課題】
【０００４】
本発明は、このような従来の事情に対処してなされたもので、光情報記録媒体を用いることで快適な環境をもたらす、全く新しい光情報記録媒体を提供するものである。
【課題を解決するための手段】
【０００５】
本発明者らは鋭意検討した結果、以下の（１）〜（６）に記載する発明によって上記課題が解決されることを見出し本発明に至った。以下、本発明について具体的に説明する。
【０００６】
（１）：透明基板上に、少なくとも記録層、反射層、接着層、カバー基板を順次積層した光情報記録媒体であって、
情報記録／読み取り面側とは反対のカバー基板上若しくは、情報記録／読み取り面側の最表面にマイナスイオン発生機能を有する物質の層を設けてなることを特徴とする光情報記録媒体である。
【０００７】
前記構成によれば、マイナスイオン発生機能を有する物質の層を設けることにより、記録／再生機器から多量に発生されるプラスイオンが打ち消され、快適な環境が提供されると共に、記録／再生機器からの電磁波が低減される。
【０００８】
（２）：前記マイナスイオン発生機能を有する物質の層が、トルマリンを含有する層であることを特徴とする（１）に記載の光情報記録媒体である。
【０００９】
前記構成によれば、マイナスイオン発生機能を有する物質として、入手が容易で、マイナスイオン発生機能の高いトルマリンを用いることで、マイナスイオン発生機能を有する物質の層の形成を効果的に、かつ容易に行うことができる。
【００１０】
（３）：前記マイナスイオン発生機能を有する物質の層に着色材料が含有されていることを特徴とする（１）に記載の光情報記録媒体である。
【００１１】
（４）：反射層に対して情報記録／読み取り面とは反対の面側の、マイナスイオン発生機能を有する物質の層表面あるいは該層のカバー基板側に、文字デザインを印刷した層を設けてなることを特徴とする（１）〜（３）のいずれかに記載の光情報記録媒体である。
【００１２】
前記構成によれば、マイナスイオン効果機能を有する材料に着色材料が含有されている事により、光情報記録媒体の文字デザイン等の情報を加えたり、美観向上を図ることができる。
【００１３】
（５）：マイナスイオン発生機能を有する物質の層を２層以上設けてなることを特徴とする（１）〜（４）のいずれかに記載の光情報記録媒体である。
【００１４】
前記構成によれば、マイナスイオン発生機能を有する物質の層を２層以上設けることで、記録／再生機器からのプラスイオン低減化がより大きく達成され、快適な環境が提供されると共に、記録／再生機器からの電磁波がより低減される。
【００１５】
（６）：透明基板上に、少なくとも記録層、反射層、接着層、カバー基板を順次積層した光情報記録媒体であって、
情報記録／読み取り面側とは反対のカバー基板上若しくは、情報記録／読み取り面側の最表面にマイナスイオン発生機能を有する物質の層が設けられ、
光情報記録媒体の記録／再生機で使用した時に、マイナスイオン効果が得られることを特徴とする光情報記録媒体である。
【００１６】
前記構成によれば、光情報記録媒体の記録／再生機で使用した際（回転した時）に、マイナスイオン効果が得られることにより、光情報媒体の記録／再生機器で使用すると同時にマイナスイオン効果を享受できるので、ストレス鎮静、疲労回復等の健康促進を積極的に図ることができる。
【発明の効果】
【００１７】
本発明の光情報記録媒体によれば、マイナスイオン発生機能を有する物質の層を設けることにより、記録／再生機器から多量に発生されるプラスイオンが打ち消され、快適な環境が提供されると共に、記録／再生機器からの電磁波が低減される。
また、この光情報記録媒体は、記録／再生機で使用した時に、マイナスイオン効果が得られることで、ストレス鎮静、疲労回復等の健康促進を積極的に図ることが可能となる。
【発明を実施するための最良の形態】
【００１８】
以下、本発明の実施例を、図面を参照しながら説明する。
図１は本発明の光情報記録媒体の構成の一例を示す断面図である。
この光情報記録媒体は、透明基板１、記録層２、反射層３、貼り合わせ材料（接着層）４、カバー基板５、マイナスイオン効果層（マイナスイオン発生機能を有する物質の層）６、６Ａ、レーベル印刷層７を設けてなるものである。
ここで、透明基板１としては、例えばポリカーボネート基板が挙げられる。記録層２の材料としては、例えばフタロシアニン系の色素系材料が挙げられる。反射層３としてはＡｇ層が挙げられる。貼り合わせ層（接着層）４の材料としては、例えば紫外線硬化型接着剤が挙げられる。カバー基板５としては、例えばポリカーボネート基板が挙げられる。マイナスイオン効果層６のマイナスイオン発生機能を有する物質としては、例えばトルマリンを含有する帝国インキ製造株式会社製の樹脂溶媒（ＨＡＳ０００メジューム）が挙げられる。トルマリンは電気石とも称され、黒トルマリン、苦土トルマリン、石灰苦土トルマリン、リシアトルマリン等が知られており、本発明では、それらの中より、目的に応じて適宜に選択して用いられる。
【００１９】
光情報記録媒体の製造方法としては、順に透明基板、記録層、反射層、貼り合せ層、カバー基板層が形成された１．２ｍｍ厚さの光情報媒体上に、マイナスイオン効果を有する材料（帝国インキ製造株式会社製の樹脂溶媒（ＨＡＳ０００メジューム）をスクリーン印刷工法にて印刷し、マイナスイオン層６を形成した。スクリーンメッシュサイズは＃３３０メッシュ、印刷速度は１．２秒／枚で行った。
【００２０】
前述のマイナスイオン効果を有する層６（露出する側）上に、スクリーン印刷工法にて任意の情報（文字デザイン等）を形成してレーベル印刷層７とすることができる。
【００２１】
また、前述光情報記録媒体の情報読み取り面側にもスピンコート法にてマイナスイオン効果を有する材料（帝国インキ製造株式会社製の樹脂溶媒（ＨＡＳ０００メジューム）を塗布しマイナスイオン層６Ａを形成した。スピンコートは４０００回転／１０秒で行った。
これにより、マイナスイオン発生効果を有する光情報記録媒体を形成することができる。
【００２２】
上記で製造した本発明の光情報記録媒体を用いて、マイナスイオン効果を空気イオンカウンターinti ITC-201A（製造元：アンデス電気社）を用いて測定した（測定環境：温度２３度、湿度４５％）。その結果を図２に示す。
【００２３】
図２中、Ａはマイナスイオン発生機能を有する物質の層として２層（図１で６、６Ａの両方）を用いた光情報記録媒体であり、Ｂはマイナスイオン発生機能を有する物質の層として１層（図１で６のみ）を用いた光情報記録媒体である。
【００２４】
図２に示されるように、本発明の光情報媒体を使用するとマイナス発生量は、約1００〜４００個／ｃｃとなり、優れたマイナスイオン効果を有することが確認された。又、前述と同一の評価により、マイナスイオン効果層を２層設けた光情報媒体においては、その効果が増加する事が確認された。
【図面の簡単な説明】
【００２５】
【図１】本発明の光情報記録媒体の構成の一例を示す断面図である。
【図２】本発明の光情報記録媒体を用いたマイナスイオン測定結果を示す図である。
【符号の説明】
【００２６】
１  透明基板
２  記録層
３  反射層
４  貼り合わせ材料（接着層）
５  カバー基板
６、６A  マイナスイオン層（マイナスイオン発生機能を有する物質の層）
７  レーベル印刷層
【図１】
2008059648.tif 000003
【図２】
2008059648.tif 000004